【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
レーザ光を射出する光源と、前記光源から射出されたレーザ光を被投射面上で第１方向に走査する第１走査手段及び前記第１方向と略垂直な方向の第２方向にレーザ光を走査する第２走査手段を有する走査手段と、を備える走査型画像表示装置を複数備えた走査型画像表示システムにおいて、
前記第１走査手段は、前記第２走査手段に比べて走査速度が速く、かつ、共振型の走査手段であり、
前記第２走査手段の画像描画期間及び帰線期間のうち少なくとも一部の期間で、光により複数の前記第１走査手段を加熱し、複数の前記第１走査手段の共振周波数を制御することを特徴とする走査型画像表示システム。
【請求項２】
前記光源から射出されたレーザ光により、複数の前記第１走査手段を加熱することを特徴とする請求項１に記載の走査型画像表示システム。
【請求項３】
前記走査手段により前記被投射面上で走査されるレーザ光の描画時間に応じて、光により前記第１走査手段を加熱する加熱量を決めることを特徴とする請求項１または請求項２に記載の走査型画像表示システム。
【請求項４】
前記帰線期間の少なくとも一部の期間を用いて、複数の前記第１走査手段を加熱することを特徴とする請求項１から請求項３のいずれか１項に記載の走査型画像表示システム。
【請求項５】
前記第１走査手段に最大輝度のレーザ光が照射されたときの共振周波数は、１フレームの描画に必要な駆動周波数より大きいことを特徴とする請求項１から請求項４のいずれか１項に記載の走査型画像表示システム。
【請求項６】
１フレームの時間に対する実描画時間の割合が所定値以上となるように、複数の前記第１走査手段を加熱することを特徴とする請求項１から請求項５のいずれか１項に記載の走査型画像表示システム。
【請求項７】
１フレームの時間に対する実描画時間の割合が７５％以上であることを特徴とする請求項６に記載の走査型画像表示システム。
【請求項８】
前記第２走査手段により、前記被投射面に走査されるレーザ光の開始タイミングを制御することを特徴とする請求項１から請求項７のいずれか１項に記載の走査型画像表示システム。
【請求項９】
前記複数の走査型画像表示装置間での前記第１方向のレーザ光の走査を同期させるための第１方向同期信号を受けた後、前記第１走査手段に入射したレーザ光が、前記被投射面外に走査されるように、前記第２走査手段により、前記光源から射出されたレーザ光の走査位置を制御することを特徴とする請求項１から請求項８のいずれか１項に記載の走査型画像表示システム。
【請求項１０】
前記光源とは別の他の光源を備え、
前記光源及び前記他の光源のうち少なくとも前記他の光源から射出された光により複数の前記第１走査手段を加熱することを特徴とする請求項１から請求項９のいずれか１項に記載の走査型画像表示システム。
【請求項１１】
前記他の光源から射出される光は、前記第１走査手段の前記光源から射出された光が入射する面と反対の面に入射されることを特徴とする請求項１０に記載の走査型画像表示システム。
【請求項１２】
前記他の光源から射出される光が非可視光であることを特徴とする請求項１０または請求項１１に記載の走査型画像表示システム。
【請求項１３】
前記第１走査手段が、ＭＥＭＳミラーであることを特徴とする請求項１から請求項１２のいずれか１項に記載の走査型画像表示システム。
【請求項１４】
レーザ光を射出する光源と、前記光源から射出されたレーザ光を被投射面上で第１方向に走査する第１走査手段及び前記第１方向と略垂直な方向の他方向にレーザ光を走査する第２走査手段を有する走査手段とを備える走査型画像表示装置において、
前記第１走査手段は、前記第２走査手段に比べて走査速度が速く、かつ、共振型の走査手段であり、
前記第２走査手段の画像描画期間及び帰線期間のうち少なくとも一部の期間で、光により前記第１走査手段を加熱し、前記第１走査手段の共振周波数を制御することを特徴とする走査型画像表示装置。
【手続補正２】
【補正対象書類名】明細書
【補正対象項目名】０００６
【補正方法】変更
【補正の内容】
【０００６】
また、ＭＥＭＳミラーを用いた走査型画像表示装置を複数用いて、各走査型画像装置により形成される画像を並べて表示する走査型画像表示システムでは、複数のＭＥＭＳミラーが別々の共振周波数で動作するため、各走査型画像装置のＭＥＭＳミラーの同期が取りにくいという問題が生じる。これは、上述したように、ＭＥＭＳミラーが蓄熱すると、共振周波数が小さくなるという特性によるものである。したがって、走査型画像装置を複数用いた場合も同様に、ＭＥＭＳミラーが蓄熱すると、１フレーム周波数以内に１フレームを描ききれなくなるという問題が生じる。
そこで、ＭＥＭＳミラーの蓄熱を見越して予め共振周波数の高いＭＥＭＳミラーを用いると、逆に１フレームの描画が早く終わりすぎてフリッカの原因になるという問題が生じる。
【手続補正３】
【補正対象書類名】明細書
【補正対象項目名】００４４
【補正方法】変更
【補正の内容】
【００４４】
図３（ｂ）に示すように、低速スキャナ３３の偏角は−θ２から＋θ２まで変化し、低速スキャナ３３に入射したレーザ光はスクリーン４０の左端４０ｃから中央部４０ｅまで走査される。すなわち、偏角が−θ２のとき、レーザ光はスクリーン４０の左端４０ｃ側から走査され、偏角を徐々に大きくし、偏角が＋θ２のとき、レーザ光はスクリーン４０の中央部４０ｅまで走査される。そして、偏角が＋θ２になると、再び偏角が−θ２まで小さくなる。このように、低速スキャナ３３の偏角が＋θ２から−θ２までが戻るとき、光源１０はオフ状態、あるいは、光源１０がオン状態となっていても遮光されており、スクリーン４０にレーザ光が描画されないようになっている。この低速スキャナ３３の偏角が＋θ２から−θ２まで戻る期間が実垂直帰線期間Ｃ１である。
【手続補正４】
【補正対象書類名】明細書
【補正対象項目名】００５２
【補正方法】変更
【補正の内容】
【００５２】
また、待機期間（Ｃ２）に高速スキャナ３１を加熱するため、スクリーン４０に表示する画像に影響を及ぼすことなく、高速スキャナ３１の共振周波数を制御することができる。また、最大輝度のレーザ光を高速スキャナ３１に入射させたときの共振周波数が、１フレームの描画に必要な駆動周波数以上であるため、高速スキャナ３１が最も加熱されても、フレーム落ちを防止することが可能となる。さらに、高速スキャナ３１の描画時間開口率（Ａ２／Ａ１）×１フレーム時間（Ｂ１）あたりのスクリーン４０を描画する描画領域時間（Ｂ２）中の画像を描画する実描画時間が７５％以上になるように、高速スキャナ３１が加熱されるため、高速スキャナ３１の走査速度を所定値以下にすることができるので、フリッカの発生をより防止することができる。
さらに、低速スキャナ３３によりスクリーン４０に走査されるレーザ光の開始タイミングを制御し、１フレームの走査が早く終了し高速スキャナ３１に入射した光がスクリーン４０に走査されないように、光源１０から射出された光の走査位置を制御している。これにより、各走査型画像表示装置２，３により描画が開始されるタイミングを同期させることができるので、鮮明な画像をスクリーン４０に表示することが可能となる。
【手続補正５】
【補正対象書類名】明細書
【補正対象項目名】００５３
【補正方法】変更
【補正の内容】
【００５３】
なお、待機期間（Ｃ２）に光源１０から射出されるレーザ光の出力強度は、スクリーン４０の描画領域における出力の上限を超えても良い。また、地点ｂ２と地点ｂ３との間のクロック数により、実描画時間を算出しても良い。さらに、実描画時間が１３．９ｍｓを下回るのを確実に防ぐために、１４．３ｍｓを下回ったときにミラー部３１を加熱したが、時間は一例に過ぎない。
また、垂直帰線期間の待機期間（Ｃ２）で高速スキャナ３１の加熱を行ったが、スクリーン４０に走査されるレーザ光が本実施形態とは異なり、一方向走査のみで画像を描画する場合（例えば、スクリーン４０の上端４０ａから下端４０ｂに向かう走査）、水平帰線期間（第２方向帰線期間）で高速スキャナ３１の加熱を行っても良い。
【手続補正６】
【補正対象書類名】図面
【補正対象項目名】図３
【補正方法】変更
【補正の内容】
【図３】
2009139430.tif 000001